(57)【要約】【課題】耐震性、耐久性に優れ、大形化が可能であり、低コストでかつ製造容易な外壁パネル構造体を提供すること。【解決手段】建物の構造躯体に固定して外壁を構成するための外壁パネル構造体１。外壁パネル構造体１は、縦枠２１と横枠２２とを有する下地枠組２に、複数の窯業系サイディング３を固定してなる。複数の窯業系サイディング３のうち少なくとも一部は、下端部３１及び上端部３２に配置した複数の留め付け金具４によって、下地枠組２に留め付け固定されている。窯業系サイディング３の下端部３１に配された留め付け金具４は、下端部３２を支承すると共に係止した状態で下地枠組３１に固定されている。窯業系サイディング３の上端部３２に配された留め付け金具４は、上端部３２を係止した状態で下地枠組２に固定されている。【選択図】図１
2006077512.tif 000002
【特許請求の範囲】
【請求項１】
建物の構造躯体に固定して外壁を構成するための外壁パネル構造体であって、
該外壁パネル構造体は、縦枠と横枠とを有する下地枠組に、複数の窯業系サイディングを固定してなり、
上記複数の窯業系サイディングのうち少なくとも一部は、該窯業系サイディングの下端部及び上端部に配置した複数の留め付け金具によって、上記下地枠組に留め付け固定されており、
上記窯業系サイディングの下端部に配された上記留め付け金具は、上記下端部を支承すると共に係止した状態で上記下地枠組に固定され、
上記窯業系サイディングの上端部に配された上記留め付け金具は、上記上端部を係止した状態で上記下地枠組に固定されていることを特徴とする外壁パネル構造体。
【請求項２】
請求項１において、上記外壁パネル構造体の最上段に配された上記窯業系サイディングの上端部は、ビスによって上記下地枠組に固定されており、上記窯業系サイディングの上端部と上記下地枠組との間には、通気孔を有するスペーサが介設されていることを特徴とする外壁パネル構造体。
【請求項３】
請求項１又は２において、上記窯業系サイディングは、上下方向に複数配設されており、上下に隣合う上記窯業系サイディングは、互いに上下合決り接合されていることを特徴とする外壁パネル構造体。
【請求項４】
請求項１〜３のいずれか一項において、上記縦枠及び上記横枠は、形鋼からなることを特徴とする外壁パネル構造体。
【請求項５】
請求項１〜４のいずれか一項において、上記留め付け金具は、平坦な裏側面を有する基板部と、該基板部から前方に立設された支承部と、該支承部から上方へ屈曲した上板係止部と、上記支承部から下方へ屈曲した下板係止部と、上記基板部の左右両側において該基板部よりも前方かつ上記支承部の前端より後方に形成されたバックアップ部とを有し、
上記留め付け金具は、上記窯業系サイディングの下端部を上記支承部によって支承すると共に上記上板係止部によって係止し、上記窯業系サイディングの上端部を上記下板係止部によって係止し、かつ、上記窯業系サイディングの裏側面を上記バックアップ部に当接させると共に上記基板部を上記下地枠組に当接させた状態で、該下地枠組に固定していることを特徴とする外壁パネル構造体。
【請求項６】
請求項５において、上記複数の留め付け金具のうち、上記外壁パネル構造体の左端部に配設される左端留め付け金具は、左側の上記バックアップ部の左端から前方へ立設した左端立設部を設けてなり、上記外壁パネル構造体の右端部に配設される右端留め付け金具は、右側の上記バックアップ部の右端から前方へ立設した右端立設部を設けてなり、上記左端留め付け金具及び上記右端留め付け金具は、上記窯業系サイディングの左端面及び右端面に、それぞれ、上記左端立設部及び上記右端立設部を当接させていることを特徴とする外壁パネル構造体。
【発明の詳細な説明】
【技術分野】
【０００１】
本発明は、建物の構造躯体に固定して外壁を構成するための外壁パネル構造体に関する。
【背景技術】
【０００２】
従来より、鉄骨等からなる建物の構造躯体に取付ける外壁パネル構造体として、金属製の下地フレームに複数枚のＡＬＣ等のコンクリート系パネルを取付けてなるカーテンウォールユニットがある（特許文献１参照）。
該カーテンウォールユニットは、下地フレームに対してパネルをボルトやビスにより直接固定してなる。このボルトやビスは、パネルの裏側からねじ込まれており、パネルの表面から突出させない構成となっている。
【０００３】
しかし、上記のごとくボルトやビスがパネルの表面から突出しない状態で、パネルと下地フレームとを確実に固定するためには、パネルの厚みをある程度大きくする必要があり、軽量化が困難となり、パネルコスト面、作業性の面においても不利となるおそれがある。
【０００４】
また、セメント系のパネルの裏面に、金属製の縦材を複数本固定した外壁パネル構造体が開示されている（特許文献２参照）。該外壁パネル構造体においては、固定プレートを用いて縦材をパネルの裏面に押し付けて固定している。この固定状態においては、固定プレートとパネル自体とによって縦材を挟持している。
【０００５】
しかし、このような固定状態では、耐震性を充分に確保することが困難となるおそれがある。また、上層階への使用を考えた場合、耐風圧性を確保することも困難となるおそれがある。
また、パネルと縦材との間に接着剤を介在させて両者の固定を補強した例も開示されているが、接着剤の経年変化を避けることは困難であり、耐久性に問題が生ずるおそれがある。
【０００６】
また、上記外壁パネル構造体は、一枚のセメント系パネルに複数本の縦材を固定してなるものであり、大面積の外壁パネル構造体を得るためには、パネルを大形化する必要があり、製造が困難となるおそれがある。また、パネルの大形化が可能であったとしても、外壁パネル構造体の組立作業を容易に行えなくなるおそれがある。
【０００７】
【特許文献１】特開２００３−６４８１５号公報
【特許文献２】特許第３１９２６３５号公報
【発明の開示】
【発明が解決しようとする課題】
【０００８】
本発明は、かかる従来の問題点に鑑みてなされたものであり、耐震性、耐久性に優れ、大形化が可能であり、低コストでかつ製造容易な外壁パネル構造体を提供しようとするものである。
【課題を解決するための手段】
【０００９】
本発明は、建物の構造躯体に固定して外壁を構成するための外壁パネル構造体であって、
該外壁パネル構造体は、縦枠と横枠とを有する下地枠組に、複数の窯業系サイディングを固定してなり、
上記複数の窯業系サイディングのうち少なくとも一部は、該窯業系外壁板の下端部及び上端部に配置した複数の留め付け金具によって、上記下地枠組に留め付け固定されており、
上記窯業系サイディングの下端部に配された上記留め付け金具は、上記下端部を支承すると共に係止した状態で上記下地枠組に固定され、
上記窯業系サイディングの上端部に配された上記留め付け金具は、上記上端部を係止した状態で上記下地枠組に固定されていることを特徴とする外壁パネル構造体にある（請求項１）。
【００１０】
次に、本発明の作用効果につき説明する。
上記外壁パネル構造体は、上述のごとく、上記留め付け金具によって窯業系サイディングを上記下地枠組に留め付け固定してなる。即ち、上記窯業系サイディングの下端部及び上端部を、上記留め付け金具によって支承、係止させることにより、下地枠組に固定している。そのため、改めて上記窯業系サイディングに加工を施すことなく、容易かつ確実に下地枠組へ固定することができる。それ故、製造容易であると共に耐震性、耐久性に優れた外壁パネル構造体を得ることができる。
【００１１】
また、上記外壁パネル構造体は、複数枚の窯業系サイディングを下地枠組に固定してなる。そのため、各窯業系サイディングを大きくしなくても、固定枚数を増やすことにより、容易に大形の外壁パネル構造体を得ることができる。そして、その固定作業も、例えば工場にて、留め付け金具を使用して簡単に組み立てることができるため、容易であると共に、低コストで行うことができる。
そして、このパネル構造体を用いて外壁を構築することにより、工期を大幅に短縮することができる。
【００１２】
また、上記窯業系サイディングを用いることにより、外壁パネル構造体の意匠面を所望の色彩、模様とすることが容易となる。また、上記のごとく、留め付け金具による固定手段を用いることにより、ビスやボルト等が意匠面から露出することを抑制することができる。これにより、外壁パネル構造体の外観意匠性を向上させることができる。
【００１３】
以上のごとく、本発明によれば、耐震性、耐久性、外観意匠性に優れ、大形化が可能であり、低コストでかつ製造容易な外壁パネル構造体を提供することができる。
【発明を実施するための最良の形態】
【００１４】
本発明（請求項１）において、上記窯業系サイディングとしては、例えば、主原料としてセメント質原料及び繊維質原料を用いて板状に形成し、養生、硬化させた外壁用防火材料を用いることができる。また、窯業系サイディングの厚みは、例えば１２〜１５ｍｍとすることができる。
【００１５】
また、上記留め付け金具による固定は、上記複数の窯業系サイディングの全てについて行うこともできる。
また、上記外壁パネル構造体を固定する上記構造躯体は、例えば鉄骨あるいは木造とすることができる。
また、上記外壁パネル構造体の大きさとしては、例えば縦３０００〜６０００ｍｍ、横１８００〜３０３０ｍｍとすることができる。
【００１６】
また、上記外壁パネル構造体の最上段に配された上記窯業系サイディングの上端部は、ビスによって上記下地枠組に固定されており、上記窯業系サイディングの上端部と上記下地枠組との間には、通気孔を有するスペーサが介設されていることが好ましい（請求項２）。
この場合には、上記最上段の窯業系サイディングの上端部に、上記留め付け金具による係止が可能な部分がなくても、下地枠組に容易に固定することができる。即ち、最上段の窯業系サイディングは、高さ調節のために、他の部分に配設されるものと同様の構造の窯業系サイディングの上端部を切断することにより形成する場合がある。かかる場合において、他の窯業系サイディングと同様に留め付け金具により上端部を留め付けることは困難となる。そこで、上記のごとくビス及びスペーサを用いることにより、窯業系サイディングの上端部を下地枠組に容易に固定することができる。
また、上記スペーサを配設することにより、下地枠組と窯業系サイディングの裏側面との間の通気を確保して結露を防止し、耐久性に優れた外壁パネル構造体を得ることができる。
【００１７】
また、上記窯業系サイディングは、上下方向に複数配設されており、上下に隣合う上記窯業系サイディングは、互いに上下合決り接合されていることが好ましい（請求項３）。
この場合には、上下の上記窯業系サイディングの間の継ぎ目の外観意匠性を向上させることができると共に、該継ぎ目からの雨水の浸入を防止することができる。
【００１８】
また、上記縦枠及び上記横枠は、形鋼からなることが好ましい（請求項４）。
この場合には、下地枠組の強度をより向上させることができ、より耐震性、耐久性に優れた外壁パネル構造体を得ることができる。上記形鋼としては、例えば、断面略正方形又は略長方形の角パイプや、断面略コ字状又は略Ｃ字状のＣ形鋼（Ｃ型チャンネル）等がある。
なお、例えば外壁パネル構造体を低層階において使用する場合には、木製の下地枠組を用いることもできる。
【００１９】
また、上記留め付け金具は、平坦な裏側面を有する基板部と、該基板部から前方に立設された支承部と、該支承部から上方へ屈曲した上板係止部と、上記支承部から下方へ屈曲した下板係止部と、上記基板部の左右両側において該基板部よりも前方かつ上記支承部の前端より後方に形成されたバックアップ部とを有し、
上記留め付け金具は、上記窯業系サイディングの下端部を上記支承部によって支承すると共に上記上板係止部によって係止し、上記窯業系サイディングの上端部を上記下板係止部によって係止し、かつ、上記窯業系サイディングの裏側面を上記バックアップ部に当接させると共に上記基板部を上記下地枠組に当接させた状態で、該下地枠組に固定していることが好ましい（請求項５）。
【００２０】
この場合には、例えば工場にて、上記留め付け金具によって、容易かつ確実に上記窯業系サイディングを下地枠組に固定することができる。また、上記窯業系サイディングと上記下地枠組との間に、通気層を形成することができ、結露を防止して、耐久性に優れた外壁パネル構造体を得ることができる。
【００２１】
また、上記複数の留め付け金具のうち、上記外壁パネル構造体の左端部に配設される左端留め付け金具は、左側の上記バックアップ部の左端から前方へ立設した左端立設部を設けてなり、上記外壁パネル構造体の右端部に配設される右端留め付け金具は、右側の上記バックアップ部の右端から前方へ立設した右端立設部を設けてなり、上記左端留め付け金具及び上記右端留め付け金具は、上記窯業系サイディングの左端面及び右端面に、それぞれ、上記左端立設部及び上記右端立設部を当接させていることが好ましい（請求項６）。
【００２２】
この場合には、上記窯業系サイディングが上記下地枠組に対して左右にずれることを防ぐことができる。また、上記窯業系サイディングを上記下地枠組に留め付ける際の位置決めを容易に行うことができる。
【実施例】
【００２３】
本発明の実施例にかかる外壁パネル構造体につき、図１〜図２３を用いて説明する。
本例の外壁パネル構造体１は、図２１に示すごとく、建物の構造躯体５に固定して外壁を構成するための構造体である。
該外壁パネル構造体１は、図１に示すごとく、縦枠２１と横枠２２とを有する下地枠組２に、複数の窯業系サイディング３を上下合決り接合して多段に固定してなる。
【００２４】
上記複数の窯業系サイディング３のうち少なくとも一部は、図６〜図１０に示すごとく、窯業系サイディング３の下端部３１及び上端部３２に配置した複数の留め付け金具４によって、上記下地枠組２に留め付け固定されている。
上記窯業系サイディング３の下端部３１に配された留め付け金具４は、図７〜図１０に示すごとく、下端部３１を支承すると共に係止した状態で下地枠組２に固定されている。
上記窯業系サイディング３の上端部３２に配された留め付け金具４は、図９、図１０に示すごとく、上端部３２を係止した状態で下地枠組２に固定されている。
【００２５】
また、図６、図１２、図１３に示すごとく、外壁パネル構造体１の最上段に配された窯業系サイディング３０の上端部３２は、ビス１１２によって下地枠組２に固定されている。そして、窯業系サイディング３０の上端部３２と下地枠組２との間には、通気孔１２１を有するスペーサ１２が介設されている。
【００２６】
最上段の窯業系サイディング３０は、高さ調節のために、他の部分に配設されるものと同様の上下合決り構造の窯業系サイディング３の上端部３２を所定幅に切断して使用される場合が多い。その場合には、下方に配される他の窯業系サイディング３と同様に留め付け金具４を、窯業系サイディング３０の上端部３２に係止することができないので、上記のごとくビス１１２及びスペーサ１２を用いて下地枠組２に固定してある。
上記スペーサ１２の厚みは留め付け金具４のバックアップ部４３（図１５参照）の前方突出量と略同等であり、窯業系サイディング３０が下地枠組２に平行に配設されるようにしてある。
【００２７】
また、窯業系サイディング３は、図１に示すごとく、上下方向に複数配設されている。そして、上下に隣合う窯業系サイディング３は、図９、図１０に示すごとく、互いに実部を重ね合わせて上下合決り接合されている。
即ち、窯業系サイディング３は、図３、図４に示すごとく、上端部３２に上部下実３２０を設け、下端部３１に下部上実３１０を設けてなる。そして、図９、図１０に示すごとく、下側の窯業系サイディング３の上部下実３２０に、上側の窯業系サイディング３の下部上実３１０を重ねることにより合決り接合している。
【００２８】
また、図７、図１１に示すごとく、窯業系サイディング３の下部上実３１０の後方には留め付け金具４に支承、係止されると共に下側の窯業系サイディング３の上部下実３２０と対向する後方係止部３１１が設けてある。該後方係止部３１１の下端面には、図１１に示すごとく、必要に応じてシーリング材３１２を設けておいてもよく、その場合には、該シーリング材３１２が下側の窯業系サイディング３の上部下実３２０との間に配されることにより、上下の窯業系サイディング３の間の防水性を確保している。なお、このシーリング材３１２としては、例えば、変成シリコーン系やネオウレタン系のものを使用することができる。
【００２９】
上記窯業系サイディング３は、主原料としてセメント質原料及び繊維質原料を用いて板状に形成し、養生、硬化させた外壁用防火材料である。この防火材料は、JIS A 5422の規格を満たすものである。また、例えば、窯業系サイディング３の厚みは１６ｍｍであり、縦４７０ｍｍ、横３０３０ｍｍの横長形状を有する。そして、この窯業系サイディング３を横張施工の状態で下地枠組２に留め付け固定してある。
また、図３〜図５、図２１に示すごとく、窯業系サイディング３の意匠面３４としては、多数の溝部３４３によってタイル模様を形成してなるものを使用することができる。なお、この模様（溝部３４３）は、他の図においては適宜省略してある。
【００３０】
また、縦枠２１及び横枠２２は、冷間圧延により成形された軽量形鋼からなり、図７〜図１０、図１２、図１３に示すごとく、本例においては角パイプからなる。この角パイプは、断面略正方形状の中空パイプである。なお、角パイプに限らず、例えば、図２３に示すごとく、縦枠２１及び横枠２２として、断面略Ｃ字形状のＣ形鋼（Ｃ形チャンネル）を用いることもできる。この場合、縦枠２１と横枠２２との間に同材質の板材２３を介在させ、該板材２３を介して溶接することができる。
【００３１】
上記下地枠組２は、図２に示すごとく、上下方向の縦枠２１を７本平行配置し、これらの上端及び下端をそれぞれ連結するように、横枠２２を配設してなる。上記縦枠２１の配設ピッチは６１０ｍｍ以内とし、高さが６ｍ、左右幅は３ｍである。
また、上記縦枠２１と横枠２２とは、互いに溶接によって固定されている。また、上側の横枠２２、即ち下地枠組２の上端には、外壁パネル構造体１をクレーンにて吊り上げるための吊り手１６が２本、ボルト留めされている。
【００３２】
上記留め付け金具４は、図１５〜図２０に示すごとく、平坦な裏側面を有する基板部４１と、該基板部４１から前方に立設された支承部４２と、該支承部４２から上方へ屈曲した上板係止部４２１と、上記支承部４２から下方へ屈曲した下板係止部４２２とを有する。また、上記基板部４１の左右両側において該基板部４１よりも前方かつ上記支承部４２の前端４２３より後方には、バックアップ部４３が形成されている。
【００３３】
上記留め付け金具４は、図７〜図１０に示す状態で配設されている。即ち、窯業系サイディング３の下端部３１を上記支承部４２によって支承すると共に上記上板係止部４２１によって係止している。また、窯業系サイディング３の上端部３２を上記下板係止部４２２によって係止している。そして、窯業系サイディング３の裏側面３３を上記バックアップ部４３に当接させると共に上記基板部４１を下地枠組２に当接させた状態で、該下地枠組２にビス留め固定している。
【００３４】
また、図６、図１４、図１７、図１８に示すごとく、上記複数の留め付け金具４のうち、外壁パネル構造体１の左端部に配設される左端留め付け金具４Ｌは、左側のバックアップ部４３の左端から前方へ立設した左端立設部４３１を設けてなる。また、図６、図１４、図１９、図２０に示すごとく、外壁パネル構造体１の右端部に配設される右端留め付け金具４Ｒは、右側のバックアップ部４３の右端から前方へ立設した右端立設部４３２を設けてなる。
【００３５】
左端留め付け金具４Ｌ及び右端留め付け金具４Ｒは、図１４に示すごとく、窯業系サイディング３の左端面３４１及び右端面３４２に、それぞれ、左端立設部４３１及び右端立設部４３２を当接させている。このようにすることで、多段に組付ける各窯業系サイディング３の横ずれを防止することができ、一体化された外壁パネル構造体１を得ることができる。
【００３６】
留め付け金具４におけるバックアップ部４３は、原則として、図１５、図１６に示すごとく、基板部４１の左右両側を前方に屈曲させた後、外側に屈曲させ、更に、後方へ屈曲させることにより断面コ字状に形成してある。これに対して、左端留め付け金具４Ｌの左端立設部４３１と右端留め付け金具４Ｒの右端立設部４３２とは、それぞれ、図１７〜図２０に示すごとく、基板部４１の左端あるいは右端を前方に屈曲させた後、外側に屈曲させ、更に、前方へ屈曲させることにより、断面略クランク形状に形成されている。
【００３７】
また、上板係止部４２１の先端と下板係止部４２２の先端は、前方平板部４２４によって連結されている。
また、留め付け金具４は、図７〜図１０に示すごとく、基板部４１に形成されたビス孔４１２にビス１１１を挿通して、下地枠組２にねじ込むことにより固定されている。
【００３８】
また、図７〜図１３に示すごとく、留め付け金具４と下地枠組２との間には、防水紙１３が介在している。また、該防水紙１３と上記スペーサ１２との間には、防水テープ１４が介在している。また、図１４に示すごとく、防水紙１３は、外壁パネル構造体１の左右端において、下地枠体２の側面に沿うように折り曲げられると共に、防水テープ１４によって下地枠組２の側面に貼着されている。
【００３９】
また、本例の外壁パネル構造体１は、図２１に示すごとく、いわゆるカーテンウォール工法により建物の構造躯体５に固定されて外壁を構築する。
即ち、外壁パネル構造体１の上端部に設けた吊り手１６（図１）を利用して、クレーンにて外壁パネル構造体１を吊り上げ、構造躯体５における所定位置に配置する。なお、吊り手１６は、外壁パネル構造体１を構造躯体５に固定した後、取り除かれる。
【００４０】
そして、外壁パネル構造体１を、構造躯体５の鉄骨柱５１に対して、アングル部材及びボルト等を用いて固定する（図示略）。また、隣合う外壁パネル構造体１同士は、下地枠組２においてボルトによって連結する（図示略）。また、図２１、図２２に示すごとく、隣合う外壁パネル構造体１の間の幅２０ｍｍ程度の目地部６１は、ネオウレタン系又は変成シリコーン系のシーリング材１５１によって防水処理がなされる。該シーリング材１５１の後方には、合成ゴム製の防水パッキン１５２、ガスケット１５３が配設される。
【００４１】
次に、本例の作用効果につき説明する。
上記外壁パネル構造体１は、上述のごとく、留め付け金具４によって窯業系サイディング３を下地枠組２に留め付け固定してなる。即ち、図６〜図１０に示すごとく、窯業系サイディング３の下端部３１及び上端部３２を、留め付け金具４によって支承、係止させることにより、下地枠組２に固定している。そのため、改めて窯業系サイディング３に加工を施すことなく、容易かつ確実に下地枠組２へ固定することができる。それ故、製造容易であると共に耐震性、耐久性に優れた外壁パネル構造体１を得ることができる。
【００４２】
また、外壁パネル構造体１は、複数枚の窯業系サイディング３を下地枠組２に固定してなる。そのため、各窯業系サイディング３を大きくしなくても、固定枚数を増やすことにより、容易に大形の外壁パネル構造体１を得ることができる。そして、その固定作業も、留め付け金具４を用いて留め付けにより行うことができるため、容易であると共に低コストで行うことができる。
そして、このパネル構造体１を用いて外壁を構築することにより、工期を大幅に短縮することができる。
【００４３】
また、上記窯業系サイディング３を用いることにより、外壁パネル構造体１の意匠面３４を所望の色彩、模様とすることが容易となる。また、上記のごとく、留め付け金具４による固定手段を用いることにより、ビスやボルト等の意匠面３４からの露出を抑制することができる。これにより、外壁パネル構造体１の外観意匠性を向上させることができる。
【００４４】
また、図６、図１２、図１３に示すごとく、外壁パネル構造体１の最上段に配された窯業系サイディング３０の上端部３２は、ビス１１２によって下地枠組２に固定されており、窯業系サイディング３０の上端部３２と下地枠組２との間にはスペーサ１２が介設されている。そのため、最上段の窯業系サイディング３０の上端部３２に、留め付け金具４による係止が可能な部分がなくても、容易に下地枠組２に固定することができる。即ち、最上段の窯業系サイディング３０は、パネル寸法調整のため、留め付け金具４を係止可能な上部下実３２０が切除しいて使用することが多いが、ビス１１２及びスペーサ１２を用いることにより、下地枠組２に確実に固定することができる。
また、スペーサ１２を配設することにより、下地枠組２と窯業系サイディング３の裏側面３３との間の通気を確保して結露を防止し、耐久性に優れた外壁パネル構造体１を得ることができる。
【００４５】
また、図９、図１０に示すごとく、上下に隣合う窯業系サイディング３は、互いに上下合決り接合されているため、上下の窯業系サイディング３の間における継ぎ目１８の外観意匠性を向上させることができると共に、該継ぎ目１８からの雨水の浸入を防止することができる。
また、縦枠２１及び横枠２２は軽量形鋼からなるため、下地枠組２の強度をより向上させることができ、より耐震性、耐久性に優れた外壁パネル構造体１を得ることができる。
【００４６】
また、留め付け金具４は、図１５〜図２０に示すごとく、基板部４１と支承部４２と上板係止部４２１と下板係止部４２２とバックアップ部４３とを有する。そして、図７〜図１０に示すごとく、留め付け金具４は、窯業系サイディング３の下端部３１を支承部４２によって支承すると共に上板係止部４２１によって係止し、窯業系サイディング３の上端部３２を下板係止部４２２によって係止する。更に、窯業系サイディング３の裏側面３３をバックアップ部４３に当接させると共に基板部４１を下地枠組２に当接させた状態で、下地枠組２に固定している。これにより、留め付け金具４によって、容易かつ確実に窯業系サイディング３を下地枠組２に固定することができる。また、窯業系サイディング３と下地枠組２との間に、通気層１７を形成することができ、結露を防止し、耐久性に優れた外壁パネル構造体１を得ることができる。
【００４７】
また、図１７、図１８に示すごとく、左端留め付け金具４Ｌが左端立設部４３１を設けてなり、右端留め付け金具４Ｒが右端立設部４３２を設けてなる。そして、図１４に示すごとく、左端留め付け金具４Ｌ及び右端留め付け金具４Ｒは、窯業系サイディング３の左端面３４１及び右端面３４２に、それぞれ、左端立設部４３１及び右端立設部４３２を当接させている。
これにより、窯業系サイディング３が下地枠組２に対して左右にずれることを防ぐことができる。また、窯業系サイディング３を下地枠組２に留め付ける際の位置決めを容易に行うことができる。
【００４８】
以上のごとく、本例によれば、耐震性、耐久性、外観意匠性に優れ、大形化が可能であり、低コストでかつ製造容易な外壁パネル構造体を提供することができる。
【００４９】
上記実施例においては、構造躯体５として鉄骨からなるものを用いたが、木造の構造躯体に対して本発明の外壁パネル構造体を施工することもできる。
また、本発明の外壁パネル構造体は、大きさは特に限定されず、実施例に示したものよりも小型のものであってもよいし大形のものであってもよい。
また、下地枠組２の構成として、縦枠２１及び横枠２２の本数についても、適宜変更することができ、例えば、横枠２２の本数を３本以上とすることもできる。
さらに、窓などの開口部を外壁パネル構造体の内部に形成するように枠組することもできる。また、低層階での使用を目的とする場合には、下地枠組として、木製下地枠の使用も可能である。
【図面の簡単な説明】
【００５０】
【図１】実施例における、外壁パネル構造体の斜視図。
【図２】実施例における、下地枠組の斜視図。
【図３】実施例における、窯業系サイディングの正面図。
【図４】図３のＡ−Ａ線矢視断面図。
【図５】図３のＢ−Ｂ線矢視断面図。
【図６】実施例における、留め付け金具及びビスの配置説明図。
【図７】実施例における、外壁パネル構造体の下辺部付近の構造を表す斜視図。
【図８】実施例における、外壁パネル構造体の下辺部付近の断面図。
【図９】実施例における、窯業系サイディングの上下接合部の構造を表す斜視図。
【図１０】実施例における、窯業系サイディングの上下接合部の断面図。
【図１１】実施例における、窯業系サイディングの下端部付近の断面図。
【図１２】実施例における、外壁パネル構造体の上辺部付近の構造を表す斜視図。
【図１３】実施例における、外壁パネル構造体の上辺部付近の断面図。
【図１４】実施例における、外壁パネル構造体の水平断面。
【図１５】実施例における、左右端以外に配される留め付け金具の斜視図。
【図１６】実施例における、左右端以外に配される留め付け金具の（Ａ）正面図、（Ｂ）（Ａ）のＣ−Ｃ線矢視断面図、（Ｃ）底面図。
【図１７】実施例における、左端留め付け金具の斜視図。
【図１８】実施例における、左端留め付け金具の底面図。
【図１９】実施例における、右端留め付け金具の斜視図。
【図２０】実施例における、右端留め付け金具の底面図。
【図２１】実施例における、外壁パネル構造体の施工状態を表す縦断面図。
【図２２】実施例における、外壁パネル構造体の施工状態を表す正面図。
【図２３】実施例における、Ｃ形鋼を用いた下地枠組の部分斜視図。
【符号の説明】
【００５１】
１  外壁パネル構造体
２  下地枠組
２１  縦枠
２２  横枠
３  窯業系サイディング
３１  下端部
３２  上端部
４  留め付け金具
４Ｌ  左端留め付け金具
４Ｒ  右端留め付け金具
５  構造躯体
【図１】
2006077512.tif 000003
【図２】
2006077512.tif 000004
【図３】
2006077512.tif 000005
【図４】
2006077512.tif 000006
【図５】
2006077512.tif 000007
【図６】
2006077512.tif 000008
【図７】
2006077512.tif 000009
【図８】
2006077512.tif 000010
【図９】
2006077512.tif 000011
【図１０】
2006077512.tif 000012
【図１１】
2006077512.tif 000013
【図１２】
2006077512.tif 000014
【図１３】
2006077512.tif 000015
【図１４】
2006077512.tif 000016
【図１５】
2006077512.tif 000017
【図１６】
2006077512.tif 000018
【図１７】
2006077512.tif 000019
【図１８】
2006077512.tif 000020
【図１９】
2006077512.tif 000021
【図２０】
2006077512.tif 000022
【図２１】
2006077512.tif 000023
【図２２】
2006077512.tif 000024
【図２３】
2006077512.tif 000025